(57)【特許請求の範囲】
【請求項１】
臭気成分を酸化分解して除去する脱臭装置をその庫内に配置し、庫外に設置した冷凍装置の冷却作動時に庫内空気を冷却する冷却器を前記脱臭装置に隣接して配置した冷蔵庫において、
前記脱臭装置に設けた触媒を加熱する加熱手段と、庫内空気を吸引して前記触媒の加熱により脱臭された空気が前記冷却器に向けて吹き付けられるように庫内空気を循環させる送風手段と、前記冷却器により冷却されて庫内に循環送風される空気の温度を検出する感温手段を設けて、前記冷凍装置の作動を制御する制御装置にその制御下にて前記冷凍装置の冷却作動時に前記加熱手段を加熱させる加熱制御手段と同冷凍装置の冷却作動時に庫内温度が所定の上限温度に上昇したとき前記加熱手段の作動を停止させる手段を設けたことを特徴とする脱臭装置を備えた冷蔵庫。
【発明の詳細な説明】
【０００１】
【発明の属する技術分野】
本発明は、庫内の空気に含まれる臭気成分（例えば、アミン類、硫化水素、アルデヒド類、アンモニア、エチルメルカプタン等）を触媒で酸化分解（燃焼）して除去する酸化分解式の脱臭装置を庫内に備えた冷蔵庫（この明細書において、冷蔵庫は冷凍庫、冷凍冷蔵庫等を含むものである）に関する。
【０００２】
【従来の技術】
酸化分解式の脱臭装置を庫内に備えた冷蔵庫は、例えば特開平４−１６６２１３号公報に示されていて、この冷蔵庫においては、触媒として臭気成分を吸着可能な吸着性の触媒が採用されており、庫内を冷却する冷凍装置の冷却作動時に脱臭装置が臭気吸着作動し、冷凍装置の除霜作動時に脱臭装置が脱臭作動するように構成されている。
【０００３】
【発明が解決しようとする課題】
上記公報に示されている冷蔵庫においては、冷凍装置の除霜作動時に脱臭装置が脱臭作動するように構成されているため、脱臭装置の脱臭作動によって生じる熱により庫内の温度が設定温度範囲の上限温度を越えて上昇するおそれがあって、庫内の食品等に悪影響を与えるおそれがある。また、冷凍装置の冷却作動時に脱臭装置が吸着した臭気成分を冷凍装置の除霜作動時（除霜作動時間は冷却作動時間に比して非常に短い）に酸化分解して脱臭するものであるため、臭気成分の吸着能力が不十分である場合は勿論のこと、脱臭能力が不十分である場合には、脱臭装置による脱臭作動が十分に得られなくて、十分な脱臭効果が得られないことがある。なお、臭気成分の吸着能力が不十分である場合には、脱臭装置に吸着部材を設けて実施することも可能であるが、この場合には脱臭装置が複雑かつ大型化し高価となる。また、脱臭装置の脱臭能力を高めるためには、酸化分解能力の高い高価な触媒を採用するか、脱臭装置を大型化する必要がある。
【０００４】
本発明は、上記の問題に対処するため、臭気成分を酸化分解して除去する脱臭装置をその庫内に配置し、庫外に設置した冷凍装置の冷却作動時に庫内空気を冷却する冷却器を前記脱臭装置に隣接して配置した冷蔵庫において、前記脱臭装置に設けた触媒を加熱する加熱手段と、庫内空気を吸引して前記触媒の加熱により脱臭された空気が前記冷却器に向けて吹き付けられるように庫内空気を循環させる送風手段と、前記冷却器により冷却されて庫内に循環送風される空気の温度を検出する感温手段を設けて、前記冷凍装置の作動を制御する制御装置にその制御下にて前記冷凍装置の冷却作動時に前記加熱手段を加熱させる加熱制御手段と同冷凍装置の冷却作動時に庫内温度が所定の上限温度に上昇したとき前記加熱手段の作動を停止させる手段を設けたことを特徴とする脱臭装置を備えた冷蔵庫を提供するものである。
【０００６】
【発明の作用効果】
本発明による冷蔵庫においては、冷凍装置の冷却作動時に脱臭装置の触媒を加熱して脱臭作動させるようにしたため、冷凍装置の冷却作動が的確に得られているとき、脱臭装置によって生じる熱は冷凍装置の冷却作動によって即座に冷却されて、庫内の温度が設定温度範囲内に維持され、庫内の温度が所定の上限温度を超えて上昇することなく庫内に貯蔵した食品等に悪影響を与えることがない。  また、冷凍装置の除霜作動時間に比して長い冷却作動時間中に脱臭装置の脱臭作動が得られるため、充分な脱臭効果が得られる。
【０００７】
また、本発明による冷蔵庫においては、庫内の温度が所定の上限温度より高い温度に上昇したとき制御装置の制御下にて脱臭装置の触媒の加熱が停止されるので、脱臭装置による庫内温度の上昇を抑制することができる。
【０００８】
【発明の実施の形態】
以下に、本発明の一実施形態を図面に基づいて説明する。図１は本発明による冷蔵庫を概略的に示していて、この冷蔵庫においては断熱箱体からなる庫本体１０（開口を扉１１によって開閉可能とされている）内に、冷凍機ユニット２０に接続した冷却器２１と、庫内空気の循環用ファンモータ２２と、庫内温度Ｔ１を検知する感温筒２３と、冷却器２１を除霜作動時に加熱する電熱ヒータ２４と、除霜時のヒータ加熱終了時期を検知するために冷却器２１の温度Ｔ２を検知する感温筒２５が配設されるとともに、図１〜図５に示した脱臭装置３０が配設されている。
【０００９】
冷凍機ユニット２０内の電気機器（コンプレッサを駆動するモータ等）２０ａと、循環用ファンモータ２２，上記感温筒２３と接続した温度調節器４１，電熱ヒータ２４，上記感温筒２５と接続した温度調節器４２等は、図５に示したように、電気制御装置４０内にてタイマ４３の各接点４３ａ，４３ｂ，４３ｃとリレー４４及びその第１の接点（リレー４４への通電時に閉じる接点）４４ａ等とにそれぞれ接続されている。温度調節器４１は、庫内温度Ｔ１が下限温度ＴL に下降到達したときリレー回路を開くとともに、庫内温度Ｔ１が上限温度ＴH に上昇到達したときリレー回路を閉じるものであり、上限温度ＴH と下限温度ＴL はそれぞれ適宜変更可能である。
【００１０】
温度調節器４２は、冷却器２１の温度Ｔ２が設定温度ＴD （上記した上限温度ＴH より高い温度）未満のときヒータ回路を閉じるとともに、設定温度ＴD 以上のときヒータ回路を開くものであり、設定温度ＴD は適宜変更可能である。タイマ４３は、２４時間タイマであって、設定時間（例えば６時間）毎に除霜作動を開始し、所定時間（例えば３０分）後に除霜作動を終了するものであり、除霜作動の開始時には常閉接点４３ａ，４３ｂが開くとともに常開接点４３ｃが閉じ、また除霜作動の終了時には常閉接点４３ａ，４３ｂが閉じるとともに常開接点４３ｃが開くようになっている。なお、除霜作動時間（例えば３０分）は、除霜作動の終了前に冷却器２１の温度Ｔ２が電熱ヒータ２４による加熱により設定温度ＴD に達して、温度調節器４２がヒータ回路を開くように設定されている。
【００１１】
図１〜図５に示した脱臭装置３０は、庫本体１０内の空気に含まれる臭気成分を触媒で酸化分解して除去する酸化分解式のものであり、図１に示したように冷却器２１の入口側で庫本体１０内の上部に配設されていて、図１及び図２にて示したように、ケーシング３１と、貴金属系の触媒３２と、電熱ヒータ３３と、ファンモータ３４とを備えるとともに、感温筒３５，３６を備えており、電熱ヒータ３３，ファンモータ３４及び各感温筒３５，３６と接続した各温度調節器４５，４６は図５に示したように電気制御装置４０内にてリレー４４の第２の接点（リレー４４への通電時に閉じる接点）４４ｂと接続されている。
【００１２】
ケーシング３１は、庫本体１０内にブラケット（図示省略）を介して組付けられていて、臭気成分を含んだ空気を吸入する吸入口３１ａを底部に備えるとともに、臭気成分を脱臭した後の空気を排出する排出口３１ｂを冷却器２１側の側部下方に備えており、内部は仕切り板３７によって吸入口３１ａが開口する第１室Ｒ１と排出口３１ｂが開口し第１室Ｒ１の上部に上部にて連通する第２室Ｒ２とに区画されている。
【００１３】
貴金属系の触媒３２は、第１室Ｒ１の略中央にてブラケット３８を介してケーシング３１と仕切り板３７に取付けられていて、それ自体周知のもので、図３に示すような１．５〜２．５mm口目のハニカム形状をしており、担体にはコージライト、γアルミナ、ニッケル、クロム系リボン、発泡金属、網等が使用され、これらの担体に活性物質として白金、パラジウム、ロジウム等の貴金属が単体あるいは二元素を混合して担持されている。
【００１４】
電熱ヒータ３３は、触媒３２を加熱するためのもので、図４にて詳細に示したように蛇行形状をしており、触媒３２より吸入口３１ａ側にてケーシング３１に取付けられていて、触媒３２に近接している。ファンモータ３４は、触媒３２に向けて庫本体１０内の臭気成分を含んだ空気の一部を送風するためのもので、吸入口３１ａに設けられていて、ブラケット（図示省略）を介してケーシング３１に組付けられている。
【００１５】
感温筒３５は、触媒３２よりも排出口３１ｂ側にて触媒３２に近接して設けられていて、触媒３２の直近の空気の温度を検出することにより間接的に触媒３２の温度を検出している。また、感温筒３５と接続した温度調節器４５は、脱臭装置３０の電熱ヒータ３３とファンモータ３４の各作動を制御するためのものであり、図５に示したように電熱ヒータ３３とファンモータ３４の回路に組み込まれていて、感温筒３５が検出する温度Ｔ３が上限設定温度ＴB に上昇到達したときヒータ回路を開くとともにファンモータ回路を閉じ、また温度Ｔ３が下限設定温度ＴA （触媒３２にて庫内空気の臭気成分が完全に酸化分解して除去される温度、すなわち完全触媒反応温度の下限値（触媒の種類によって異なるが、２００〜３００℃程度である）以上の設定温度）に下降到達したときファンモータ回路を開くとともにヒータ回路を閉じるようになっており、上限設定温度ＴB と下限設定温度ＴA はそれぞれ適宜変更可能である。
【００１６】
感温筒３６は、排出口３１ｂに設けられていて、排出空気の温度Ｔ４を検出している。また、感温筒３６と接続した温度調節器４６は、触媒３２の異常過熱を防止するためのものであって、排出空気の温度Ｔ４が許容温度未満のときヒータ回路を閉じるとともに、許容温度以上のときヒータ回路を開くものであり、許容温度は適宜変更可能である。なお、温度調節器４６が開作動する許容温度は触媒３２の異常過熱時に生じる温度であって、図６に示す通常の作動時には表れないものである。
【００１７】
上記のように構成した本実施形態の冷蔵庫においては、図５に示した電気回路にて、温度調節器４１がリレー４４の回路を閉じ、温度調節器４２が電熱ヒータ２４の回路を開き、またタイマ４３の常閉接点４３ａ，４３ｂが閉じ常開接点４３ｃが開いており、かつ温度調節器４５，４６が電熱ヒータ３３の回路を閉じ、温度調節器４５がファンモータ３４の回路を開いている状態において、電源スイッチ（図示省略）をＯＮ操作して使用を開始すれば、図６に示したように、冷凍装置において循環用ファンモータ２２とリレー４４への通電が開始されて、循環用ファンモータ２２が駆動開始するとともにリレー４４の各接点４４ａ，４４ｂが閉じて冷凍機ユニット２０内の電気機器２０ａへの通電が開始されるとともに、脱臭装置３０にて電熱ヒータ３３への通電が開始される。
【００１８】
このため、庫内空気が循環用ファンモータ２２により庫内と冷却器２１を循環されるとともに、冷凍機ユニット２０内の電気機器２０ａへの通電により冷却器２１に冷媒が循環されて、冷却器２１にて庫内空気が冷却され、庫内温度Ｔ１が下限温度ＴL に向けて下降する。なお、かかる作動により冷却器２１の温度Ｔ２が設定温度ＴD に下降すると、温度調節器４２が電熱ヒータ２４の回路を閉じるものの、この状態ではタイマ４３の常開接点４３ｃが開いているため電熱ヒータ２４は通電されない。
【００１９】
かくして、庫内温度Ｔ１が下限温度ＴL に下降到達すると、温度調節器４１がリレー４４の回路を開くため、リレー４４への通電が遮断されてリレー４４の各接点４４ａ，４４ｂが開き、冷凍機ユニット２０内の電気機器２０ａへの通電が遮断されて冷却器２１への冷媒の循環が止められる。このため、冷却器２１での庫内空気の冷却が止まり、庫内温度Ｔ１が上限温度ＴH に向けて上昇する。また、庫内温度Ｔ１が上限温度ＴH に上昇到達すると、温度調節器４１がリレー４４の回路を閉じるため、リレー４４が通電されてリレー４４の各接点４４ａ，４４ｂが閉じ、冷凍機ユニット２０内の電気機器２０ａへの通電が再開されて冷却器２１への冷媒の循環が再開される。このため、冷却器２１での庫内空気の冷却が再開され、庫内温度Ｔ１が下限温度ＴL に向けて再び下降する。この庫内温度Ｔ１の設定温度範囲内での下降・上昇はタイマ４３の各接点が切り替わるまでの時間（除霜作動が開始するまでの時間、すなわち冷却作動時間）繰り返されて、庫内温度Ｔ１が設定温度範囲内に維持される。なお、庫内温度Ｔ１が設定温度範囲内に維持されているとき（冷凍装置の冷却作動時）には循環用ファンモータ２２が継続駆動される。
【００２０】
また、タイマ４３の計時時間が設定時間（例えば６時間毎）になると、タイマ４３の常閉接点４３ａ，４３ｂが開くとともに常開接点４３ｃが閉じて、リレー４４の回路と循環用ファンモータ２２の回路を開くとともに電熱ヒータ２４の回路を閉じるため、冷凍機ユニット２０内の電気機器２０ａへの通電が遮断されて冷却器２１への冷媒の循環が止められるとともに循環用ファンモータ２２が止められ、また電熱ヒータ２４が通電されて冷却器２１が加熱され、除霜作動が開始される。この除霜作動は所定時間（例えば３０分）維持され、この間では冷却器２１の温度Ｔ２が電熱ヒータ２４による加熱により設定温度ＴD に達した時点で温度調節器４２が電熱ヒータ２４の回路を開くため、除霜作動の終了前に電熱ヒータ２４による冷却器２１の加熱が終了する。また、除霜作動の終了時には、タイマ４３の常閉接点４３ａ，４３ｂが閉じるとともに常開接点４３ｃが開いて、リレー４４の回路と循環用ファンモータ２２の回路を閉じるとともに電熱ヒータ２４の回路を開くため、冷凍機ユニット２０内の電気機器２０ａへの通電が再開されて冷却器２１への冷媒の循環が再開されるとともに循環用ファンモータ２２の駆動が再開されて、冷却作動が再開される。
【００２１】
一方、脱臭装置３０においては、電熱ヒータ３３への通電によって触媒３２が加熱され、これにより感温筒３５が検出する温度（触媒３２の温度）Ｔ３が上限設定温度ＴB に向けて上昇し、同温度Ｔ３が上限設定温度ＴB に上昇到達すると、温度調節器４５が電熱ヒータ３３の回路を開くとともにファンモータ３４の回路を閉じる。このため、電熱ヒータ３３への通電が遮断されて、感温筒３５が検出する温度Ｔ３が下限設定温度ＴA に向けて下降し、同温度Ｔ３が下限設定温度ＴA に下降到達すると、温度調節器４５が電熱ヒータ３３の回路を閉じるとともにファンモータ３４の回路を開く。したがって、その後は電熱ヒータ３３への通電が再開されて、感温筒３５が検出する温度Ｔ３が上限設定温度ＴB に向けて再び上昇する。この温度Ｔ３の設定温度範囲内での上昇・下降は電源スイッチがＯＦＦ操作されるまで繰り返されて、温度Ｔ３が設定温度範囲内に維持される。
【００２２】
また、本実施形態の冷蔵庫においては、図６にて示したように、庫本体１０内を冷却する冷凍装置の冷却作動時に脱臭装置３０が所定の作動モードにて脱臭作動する、すなわち冷凍機ユニット２０内の電気機器２０ａへの通電時（接点４４ｂが閉じているとき）で感温筒３５が検出する温度Ｔ３が上限設定温度ＴB から下限設定温度ＴA に向けて下降するとき（温度調節器４５がヒータ回路を開きファンモータ回路を閉じているとき）に脱臭装置３０のファンモータ３４が駆動される。このため、庫本体１０内の臭気成分を含んだ空気の一部は吸入口３１ａから第１室Ｒ１に吸入されて触媒３２に向けて流され、加熱状態の触媒３２にて臭気成分が完全に酸化分解されて除去され、臭気成分を除去された空気が第１室Ｒ１から第２室Ｒ２に流れて排出口３１ｂから冷却器２１の吸入側に排出される。
【００２３】
ところで、このときには冷凍機ユニット２０内の電気機器２０ａへの通電がなされていて、冷却器２１には冷媒が循環供給されているため、脱臭装置３０から排出された空気は脱臭装置３０によって生じる熱（電熱ヒータ３３による熱と酸化分解による反応熱）にて加熱されているものの冷却器２１にて即座に冷却されて、庫本体１０内の温度Ｔ１が設定温度範囲内に維持され、庫本体１０内の温度Ｔ１が設定温度範囲の上限温度ＴH を越えて上昇することはなくて、庫本体１０内の食品等に悪影響を与えることがない。また、本実施形態においては、冷凍装置の除霜作動時間（例えば３０分）に比して非常に長い冷却作動時間（例えば５時間３０分）において脱臭装置３０の脱臭作動が所定の作動モード（特に、図６のファンモータ３４駆動期間参照）にて得られるため、脱臭装置３０による脱臭作動が十分に得られて、十分な脱臭効果が得られる。
【００２４】
また、本実施形態においては、脱臭装置３０が触媒を加熱させる電熱ヒータ３３と庫内の空気を触媒３２に向けて送風するファンモータ３４を備える構成であるため、積極的に脱臭作動させることができて、高効率にて臭気成分を触媒で酸化分解して除去することができる。また、本実施形態の脱臭装置３０は、臭気成分の吸着能力及び高い脱臭能力は要求されず、シンプルかつ安価に構成することができる。
【００２５】
上記した実施形態においては、脱臭装置３０の電熱ヒータ３３が両温度調節器４５，４６によって通電を制御されるように構成したが、図７にて示したように、脱臭装置３０の電熱ヒータ３３が両温度調節器４５，４６と温度調節器４７によって通電を制御されるように構成して実施することも可能である。温度調節器４７は、庫内温度Ｔ１を検出する感温筒２３と接続されていて、感温筒２３が検出する庫内温度Ｔ１が設定温度範囲の上限温度ＴH に下降到達したときヒータ回路を閉じるとともに、庫内温度Ｔ１が上限温度ＴH より高い設定温度ＴG に上昇到達したときヒータ回路を開くものであり、設定温度ＴG は適宜変更可能である。なお、図７に示した構成のその他の構成は、図１〜図６に示した上記実施形態の構成と同じであるため、同一符号を付して説明は省略する。
【００２６】
図７に示した構成を備える実施形態の冷蔵庫においては、脱臭装置３０の電熱ヒータ３３の回路に温度調節器４７が設けられているため、図８にて示したように、電源スイッチ（図示省略）をＯＮ操作して使用を開始した時点にて電熱ヒータ３３への通電は開始されず、庫内温度Ｔ１が設定温度範囲の上限温度ＴH に下降到達したときに電熱ヒータ３３への通電が開始される。
【００２７】
また、この実施形態の冷蔵庫においては、例えば庫内空気が冷却器２１にて冷却されて庫内温度Ｔ１が下限温度ＴL に下降到達した時点（図８のＡ点）で庫本体１０の扉１１が開かれて庫内温度Ｔ１が上昇するときには、庫内温度Ｔ１が上限温度ＴH に上昇到達した時点（図８のＢ点）で冷凍機ユニット２０内の電気機器２０ａへの通電が再開されて冷却器２１に冷媒が循環供給されるものの、庫内温度Ｔ１は更に上昇するため、庫内温度Ｔ１が設定温度ＴG に上昇到達した時点（図８のＣ点）で温度調節器４７が脱臭装置３０の電熱ヒータ３３の回路を開く。その後に、庫本体１０の扉１１が閉じられる（図８のＤ点）と、庫内温度Ｔ１は下降し、庫内温度Ｔ１が上限温度ＴH に下降到達した時点（図８のＥ点）で温度調節器４７が脱臭装置３０の電熱ヒータ３３の回路を閉じる。
【００２８】
したがって、図８のＡ点〜Ｅ点の間においては、Ｃ点〜Ｅ点の間で、温度調節器４７が脱臭装置３０の電熱ヒータ３３の回路を開いているため、脱臭装置３０の感温筒３５にて検出される温度Ｔ３が下限設定温度ＴA に下降到達した時点で温度調節器４５が電熱ヒータ３３の回路を閉じても電熱ヒータ３３は通電されず、図８のＥ点で電熱ヒータ３３は通電される。なお、図８のＢ点〜温度Ｔ３が下限設定温度ＴA に下降到達する間においては、リレー４４の接点４４ｂと温度調節器４５が脱臭装置３０のファンモータ３４の回路を閉じているため、ファンモータ３４が駆動されて脱臭装置３０の脱臭作動が得られる。
【００２９】
また、この実施形態の冷蔵庫においては、除霜作動から冷却作動に切り替わるときに、庫内温度Ｔ１が設定温度ＴG に上昇到達した時点（図８のＦ点）で温度調節器４７が脱臭装置３０の電熱ヒータ３３の回路を開き、庫内温度Ｔ１が上限温度ＴH に下降到達した時点（図８のＧ点）で温度調節器４７が脱臭装置３０の電熱ヒータ３３の回路を閉じる。したがって、このときには、図８に示したように脱臭装置３０の感温筒３５にて検出される温度Ｔ３が上限設定温度ＴB に上昇到達することなく下降する。このため、このときには、温度調節器４５が脱臭装置３０のファンモータ３４の回路を閉じることがなく、ファンモータ３４は駆動されず脱臭装置３０の脱臭作動は得られない。
【００３０】
このように、この実施形態の冷蔵庫においては、庫内温度Ｔ１が設定温度範囲の上限温度ＴH より高い設定温度ＴG に上昇到達してから上限温度ＴH に下降到達する間には少なくとも脱臭装置３０の電熱ヒータ３３が通電されないようにしたため、脱臭装置３０による庫内温度の上昇を抑制することができる。
【００３１】
上記各実施形態においては、冷却器２１に冷媒が循環供給されており、かつ感温筒３５が検出する温度（触媒３２の温度）Ｔ３が上限設定温度ＴB から下限設定温度ＴA に向けて下降するときに脱臭装置３０のファンモータ３４が駆動されて、このときに脱臭装置３０にて積極的に脱臭作動が得られるようにしたが、脱臭装置３０にて脱臭作動が得られるタイミング（脱臭装置の作動モード）は適宜変更可能である。また、上記各実施形態においては、貴金属系の触媒３２を採用して本発明を実施したが、本発明の実施に際しては貴金属系以外の触媒を採用して実施することも可能である。また、上記各実施形態においては、触媒３２の加熱手段として電熱ヒータ３３を採用して本発明を実施したが、本発明の実施に際しては他の加熱手段を採用して実施することも可能である。また、上記各実施形態においては、電熱ヒータ３３の上方に触媒３２を配設して実施したが、触媒３２と電熱ヒータ３３の構成（配置）は適宜変更可能であり、例えば触媒３２の上下に電熱ヒータ３３を配設する構成あるいは触媒３２と電熱ヒータ３３を多重に配設する構成を採用して実施することも可能である。
【００３２】
また、上記各実施形態においては、脱臭装置として、触媒３２と、この触媒３２を加熱する電熱ヒータ３３と、庫内空気の一部を触媒３２に向けて送風するファンモータ３４を備える脱臭装置３０を採用して、積極的に脱臭作動が得られるようにしたが、ファンモータ３４に代えて電気制御装置によって作動を制御されて吸入口３１ａを開閉するダンパー装置を採用して、このダンパー装置の開作動時に循環用ファンモータ２２による作用にて庫内空気の一部が触媒３２に向けて流れるように構成して請求項１の発明を実施することも可能である。
【図面の簡単な説明】
【図１】  本発明による脱臭装置を備えた冷蔵庫の一実施形態を概略的に示す全体構成図である。
【図２】  図１に示した脱臭装置の拡大図である。
【図３】  図１及び図２に示した触媒を概略的に示す拡大斜視図である。
【図４】  図１及び図２に示した電熱ヒータを概略的に示す拡大平面図である。
【図５】  図１に示した制御装置の一部を示す電気回路図である。
【図６】  図１〜図５に示した実施形態の作動説明図である。
【図７】  図５に示した電気回路の変形例を示す電気回路図である。
【図８】  図７に示した電気回路を備える制御装置によって図１に示した脱臭装置を制御した場合の作動説明図である。
【符号の説明】
１０…庫本体、１１…扉、２０…冷凍機ユニット、２０ａ…電気機器（コンプレッサを駆動するモータ等）、２１…冷却器、２２…循環用ファンモータ、２３…感温筒、２４…電熱ヒータ、２５…感温筒、３０…脱臭装置、３１…ケーシング、３２…触媒、３３…電熱ヒータ、３４…ファンモータ、３５，３６…感温筒、４０…電気制御装置、４４ｂ…リレーの接点、４５…温度調節器。
【図１】
0003790573.tif 000002
【図２】
0003790573.tif 000003
【図３】
0003790573.tif 000004
【図４】
0003790573.tif 000005
【図５】
0003790573.tif 000006
【図６】
0003790573.tif 000007
【図７】
0003790573.tif 000008
【図８】
0003790573.tif 000009